(57)【要約】      （修正有）【課題】前身が開放でない襟首部開放面積が小さい丸首衣類の襟首部から容易に着脱することができ、且つ、簡易な構造を有したアーム回動式ハンガーを提供する。【解決手段】ハンガーフック３下部に、衣類を掛ける左右のアームを有し、その左右のアームを回動し得る構成を有するアーム回動式ハンガーにおいて、左右のアームの各内側端部に軸受部１８、１９を設け、左右のアームが最大に開いた状態を保持する係合部を設けたストッパー４を一方のアームに配置し、ハンガーフック３の下部に割溝と係支部を設けたハンガーフック３の回転用軸を前記軸受穴に差し込み嵌合釣支し、ストッパー４に設けた係合部と係合する係合部を他方のアームに設け、ストッパー４に設けた係合部を、他方のアームに設けた係合部と係合する方向に負荷させる弾性体をストッパー配置側アームに内設し構成をする。【選択図】図１
2013240498.tif 000002
【特許請求の範囲】
【請求項１】
ハンガーフック（３）下部に、衣類を掛ける左右のアーム（１、２）を有し、その左右のアーム（１、２）を回動し得る構成を有するアーム回動式ハンガーにおいて、左右のアーム（１、２）の各内側端部に軸受部（１８、１９）を設け、左右のアーム（１、２）が最大に開いた状態を保持する係合部（８）を設けたストッパー（４）を一方のアーム（１）に配置し、ハンガーフック（３）の下部に割溝（２４）と係支部（２５）を設けたハンガーフック（３）の回転用軸（６）を前記軸受穴に差し込み嵌合釣支し、ストッパー（４）に設けた係合部（８）と係合する係合部（９）を他方のアーム（２）に設け、ストッパー（４）に設けた係合部（８）を、他方のアーム（２）に設けた係合部（９）と係合する方向に負荷させる弾性体（５）をストッパー配置側アーム（１）に内設した構成を特徴とするアーム回動式ハンガー。
【請求項２】
左右のアーム（１、２）が最大に開いた状態で、係合部（８）を設けたストッパー（４）は、その係合部（８）が他方のアーム（２）に設けた係合部（９）と係合し、且つ他方のアーム（２）の係合部（９）と係合位置から係合離脱可能位置範囲内の往復移動を許容し、係合離脱後、配置側アーム（１）と一対で回動し得る構成を特徴とする請求項１記載のアーム回動式ハンガー。
【請求項３】
ストッパー（４）に設けた係合部（８）が、他方のアーム（２）に設けた係合部（９）と係合離脱後、配置側アーム（１）と一対で回動の際に、ストッパー（４）に設けた係合部（８）と当接し、且つ係合部（８）離脱位置を保持するのに必要な形状を有した摺動面（２６）を他方のアーム（２）に形成したこと特徴とする請求項１記載のアーム回動式ハンガー。
【請求項４】
ハンガーフック（３）の回転用軸（６）を、左右のアーム（１、２）の回動軸と共用したことを特徴とする請求項１記載のアーム回動式ハンガー。
【発明の詳細な説明】
【技術分野】
【０００１】
本発明は、衣類への着脱性を容易にする衣類用ハンガーに関するものである。
【背景技術】
【０００２】
従来の衣類用ハンガーは固定形状であるものが多い。前身が開放した衣類にハンガーを装着する場合は、開放部からハンガーを挿入するが、前身が開放でない丸首衣料にハンガーを装着する時は、襟首部の延びや損傷を防ぐために、ハンガーを開放面積の広い裾から衣類内部を通し、ハンガーフック部を襟首部から引き出す作業を要し、その作業に手間がかかった。また衣類からハンガーを取り出す場合も、衣類の裾から手を挿入しハンガーを引き出す作業を要し手間がかかった。
【０００３】
前述の問題点を解決する手段として、ハンガーのアーム部を折り畳む構造を施したものがある（例えば、特許文献１参照。）。またハンガーのアーム折り畳み方向が縦型構造を施したものがある（例えば、特許文献２参照。）。
【先行技術文献】
【特許文献】
【０００４】
【特許文献１】特開平０９−０８４６８４号公報
【特許文献２】特開２０１１−２２９８２９号公報
【発明の概要】
【発明が解決しようとする課題】
【０００５】
しかしながら、特許文献１の考案は、一方のハンガー折体に対して他方のハンガー折体を連接する支軸を支点回動軸として回動し係合を離脱させる構成において、例えば屋外使用時に衣類を掛けたハンガー折体が突風など瞬間的な大きい外部力を受けた場合、それに耐える保持力が必要と考えられ、回動操作力は増して大きくすることとなりその設定保持力の選定が難しい。特許文献２の考案は、アーム軸支用ケーシング部品を必要とし構成部品数が多くなりコストアップとなる。
【０００６】
本発明は、以上のような従来の欠点を鑑み、前身が開放でない襟首部開放面積が小さい丸首衣類へ、ハンガーを襟首部から容易に着脱することができ、従来から考案されているアーム可動式ハンガー構造の複雑さを解消し、また簡易な構造でハンガーアームの開いた状態を確実に保持、解除できるアーム回動式ハンガーを提供することを目的としている。
【課題を解決するための手段】
【０００７】
上記目的を達成するために本発明は、ハンガーフック３下部に、衣類を掛ける左右のアーム１、２を有し、その左右のアーム１、２を回動し得る構成を有するアーム回動式ハンガーにおいて、左右のアーム１、２の各内側端部に軸受部１８、１９を設け、左右のアーム１、２が最大に開いた状態を保持する係合部８を設けたストッパー４を一方のアーム１に配置し、ハンガーフック３の下部に割溝２４と係支部２５を設けたハンガーフック３の回転用軸６を前記軸受穴に差し込み嵌合釣支し、ストッパー４に設けた係合部８と係合する係合部９を他方のアーム２に設け、ストッパー４に設けた係合部８を、他方のアーム２に設けた係合部９と係合する方向に負荷させる弾性体５をストッパー配置側アーム１に内設した構成をする。
【０００８】
左右のアーム１、２が最大に開いた状態で、係合部８を設けたストッパー４は、その係合部８が他方のアーム２に設けた係合部９と係合し、且つ他方のアーム２の係合部９と係合位置から係合離脱可能位置範囲内の往復移動を許容し、係合離脱後、配置側アーム１と一対で回動する。
【０００９】
ストッパー４に設けた係合部８が、他方のアーム２に設けた係合部９と係合離脱後、配置側アーム１と一対で回動の際に、ストッパー４に設けた係合部８と当接し、且つ係合部８離脱位置を保持するのに必要な形状を有した摺動面２６を他方のアーム２に形成する。
【発明の効果】
【００１０】
（１）前身が開放でない襟首部開放面積の小さい丸首衣類の襟首部から、アーム先端を先に、ハンガーアーム部全体を衣類内部へ挿入し、左右のアームを衣類内部で開く作業と合せて、左右のアームに衣類の重量を掛けるように傾けることで最大までアームが開き、同時に、左右のアームが最大に開いた状態で保持され、ハンガーを衣類に装着できる。衣類からハンガーを取り出す場合も、ワンプッシュ操作で左右のアームが最大に開いた状態を解除し、装着した衣類の重量を左右のアームに掛ける事によりアームが閉じ、ハンガーを容易に取り出せる。
【００１１】
（２）ハンガー本体を吊るすハンガーフック、衣類を掛ける左右のアーム、回動式アームの開いた状態を保持するストッパーと弾性体の最低必要部品、且つ、簡易な構造で、従来から考案されているアーム可動式ハンガーの構造の複雑さを解消し、外観も固定形状を有した従来のハンガーと比較して違和感が少ない。
【００１２】
（３）簡易な構造で、左右のアームが最大に開いた状態を確実に保持するストッパーは、ハンガーと衣類の着脱作業の一連な流れの中で操作をすることができる。
【図面の簡単な説明】
【００１３】
【図１】本発明に係るアーム回動式ハンガーの通常状態斜視図。
【図２】アーム回動式ハンガーのアームを回動させた状態の斜視図。
【図３】アーム回動式ハンガーの正面図。
【図４】アーム回動式ハンガーの右側面図。
【図５】アーム回動式ハンガーの平面図。
【図６】図５に示すＡ−Ａ断面図でストッパーの係合状態を示している。
【図７】図５に示すＡ−Ａ断面図でストッパーの係合解除状態を示している。
【図８】図３に示すＢ−Ｂ断面図でストッパー周辺を示している。
【図９】本発明の実施例２における図５に示すＡ−Ａ断面図でストッパーの係合状態を示している。
【図１０】本発明の実施例２における図５に示すＡ−Ａ断面図でストッパーの係合解除状態を示している。
【図１１】片手でアーム回動式ハンガーを保持した状態の斜視図。
【発明を実施するための形態】
【００１４】
以下、本発明の実施を図に基づいて説明をする。
【実施例１】
【００１５】
図１は、左右のアーム１，２を最大に開いた通常状態である。片側に軸受部１９を設けたアーム右２と、片側にアーム右２の軸受部１９の上下を挟む軸受部１８を設けたアーム左１を各軸受穴合わせに組み、アーム左上面１１上にストッパー４を配置し、ハンガーフック３の下部に割溝２４と係支部２５を設けたハンガーフック３の回転用軸６を前記軸受穴に差し込み嵌合釣支する。アーム左１とアーム右２の互いのなす角度を最大に開いた状態で、アーム左１のアーム左基部２８と当接する突き当て面１７を、アーム右２の軸受部１９の外周部に設ける。前身が開放した衣類へは、この状態で該ハンガーを装着する。
【００１６】
端部に係合部８と中央部に長穴２７を設けたストッパー４は、アーム左上面１１上に配置し、アーム左上面１１上に設けた左右方向を規制するレール１２と、上面側を規制するフック円板下１０に挟まれ、アーム左上面１１上を摺動する。左右のアームが最大に開いた状態で、ストッパー４の端部に設けた係合部８と係合する係合部９をアーム右２の軸受部１９外周に設け、係合部８を設けたストッパー４は、その係合部８が他方のアーム２に設けた係合部９と係合位置から係合離脱可能位置範囲内の往復摺動を許容し、係合離脱後、配置側アーム１と一対で回動する。
【００１７】
ストッパー４に設けた係合部８が、他方のアーム２に設けた係合部９と係合離脱後、配置側アーム１と一対で回動の際に、ストッパー４に設けた係合部８と当接し、且つ係合部８離脱位置を保持するために半円形状を有した摺動面２６を他方のアーム２に形成する
【００１８】
ストッパー４の係合部８をアーム右２の係合部９に係合する方向に負荷させる弾性体５として圧縮バネを、ストッパー４とアーム左１の軸受部１８外周の間に内設する。弾性体５は、係合部８を設けたストッパー４を、その係合部８が他方のアーム２に設けた係合部９と係合離脱可能位置から係合位置まで移動させる摺動力と、常時係合した状態（図６参照）を保持できる程度の負荷力を要する。
【００１９】
以上、アーム回動式ハンガーの構成に関して説明したが、以下、アーム回動式ハンガーの使用方法について説明する。図２は、ストッパー押し面７を押し、ストッパー４を係合離脱可能位置まで摺動させ、ストッパー４の係合部８をアーム右２の係合部９から係合解除（図７参照）し、アーム左１とアーム右２を回転し、互いのなすアームの角度を鋭角まで狭めた状態である。アーム左先端１３とアーム右先端１４のアーム先端間寸法が１０から１２センチメートル程度で、一般的な丸首衣類の衣類襟首部２１へ左右のアーム先端１３，１４を挿入できる。
【００２０】
図２の状態から、一般的な丸首衣類へ該ハンガーを装着するには、アーム先端１３，１４から衣類内部へアーム部全体を挿入し、衣類の外からアーム左１とアーム右２を鈍角となる方向へ手で最大まで開く。または挿入後、左右のアーム１，２を鈍角となる方向へ回転させると同時に、該ハンガーの先端１３，１４を上方向へ持ち上げるように該ハンガーを傾けることで、左右のアーム１，２に衣類の重量が掛かり左右のアーム１，２を最大まで開くことができる。アーム左先端１３とアーム右先端１４及びアーム上面２０形状は、衣類内部で衣類と擦れを防止するために球面形状が良い。
【００２１】
左右のアーム１，２を最大まで開くと、ストッパー４の係合部８とアーム右２の係合部９が一致し、ストッパー４の係合部８は弾性体５の負荷によりアーム右２の係合部９側へ移動し係合し、アーム左１とアーム右２は最大に開いた状態で保持され、該ハンガーを衣類に装着することができる。
【００２２】
衣類から該ハンガーを取り出す場合は、ストッパー４の押し面７を押し、ストッパー４を係合離脱可能位置まで摺動させ、ストッパー４の係合部８をアーム右２の係合部９から係合解除し、左右のアーム１，２の保持状態を解除する。衣類の外からアーム左１とアーム右２を鈍角となる方向へ回転し、左右のアーム１，２の角度を鋭角まで狭めれば、衣類襟首部２１から該ハンガーを取り出す事ができる。または係合解除後、該ハンガーのアーム先端１３，１４を左右のアーム１、２の先端が狭まる側に、下方向へ下げるように該ハンガーを傾けることで、左右のアーム１，２に衣類の重量が掛かりアーム１，２は回転し、アーム先端１３，１４間寸法は狭まり、衣類襟首部２１から該ハンガーを取り出す事ができる。
【００２３】
使用操作例として（図１１参照）、右手の人差し指と中指の間でフック中軸１６を挟み、人差し指と中指の上面でフック円板上１５の下面を受け、親指内面側とストッパー押し面７合わせ、薬指と小指をアーム右２のアーム上面２０に添えることで、片手で該ハンガーを安定に支える。親指でストッパー押し面７を押し左右のアームの保持状態を解除し、アーム上面２０に添えた薬指と小指で保持状態を解除されたアーム右２を回転する。
【実施例２】
【００２４】
実施例１では、ストッパー４に負荷する弾性体５として圧縮バネを使用した（図６、図７参照）。実施例２ではストッパー４に負荷する弾性体として、プラスチックの成形を利用してアーム左１の軸受部１８外周部に弾性片２２（図９、図１０参照）を内設する。ストッパー４には弾性片２２の端部と係合する係合部２３を設ける。弾性片２２は、ストッパー４の摺動に伴って係合部２３に係合され湾曲に変形し、その弾性変形復元力を持ってストッパー４に負荷する機能を有する。弾性体をアーム左１と一体化にすることにより、部品点数が減らせ、組立性も向上し、コストダウンできる。また、アーム側に内設した弾性片をストッパー側に内設する事も可能である。
【符号の説明】
【００２５】
１  アーム左
２  アーム右
３  ハンガーフック
４  ストッパー
５  弾性体
６  軸
７  ストッパー押し面
８  係合部
９  係合部
１０  フック円板下
１１  アーム左上面
１２  レール
１３  アーム左先端
１４  アーム右先端
１５  フック円板上
１６  フック中軸
１７  突き当て面
１８  軸受部
１９  軸受部
２０  アーム上面
２１  衣類襟首部
２２  弾性片
２３  係合部
２４  割溝
２５  係支部
２６  摺動面
２７  長穴
２８  アーム左基部
【図１】
2013240498.tif 000003
【図２】
2013240498.tif 000004
【図３】
2013240498.tif 000005
【図４】
2013240498.tif 000006
【図５】
2013240498.tif 000007
【図６】
2013240498.tif 000008
【図７】
2013240498.tif 000009
【図８】
2013240498.tif 000010
【図９】
2013240498.tif 000011
【図１０】
2013240498.tif 000012
【図１１】
2013240498.tif 000013
【手続補正書】
【提出日】平成24年5月30日(2012.5.30)
【手続補正１】
【補正対象書類名】図面
【補正対象項目名】全図
【補正方法】変更
【補正の内容】
【図１】
2013240498.tif 000014
【図２】
2013240498.tif 000015
【図３】
2013240498.tif 000016
【図４】
2013240498.tif 000017
【図５】
2013240498.tif 000018
【図６】
2013240498.tif 000019
【図７】
2013240498.tif 000020
【図８】
2013240498.tif 000021
【図９】
2013240498.tif 000022
【図１０】
2013240498.tif 000023
【図１１】
2013240498.tif 000024